(57)【要約】【課題】良好に負荷を接続することができる給電制御装置、給電制御システム及び給電制御方法を提供する．【解決手段】電源から負荷への給電を制御する給電制御装置であって、前記負荷が接続される複数の接続ポートと、一の前記接続ポートに前記負荷が接続された場合、前記負荷の仕様情報を取得する取得部と、該取得部が取得した仕様情報に基づいて前記負荷に給電を行うか否かを決定する決定部と、該決定部が前記負荷に給電を行わないと決定した場合、前記負荷に給電を行わないことを示す情報を出力する出力部とを備える給電制御装置。【選択図】図１
2020150634.tif 000002
【特許請求の範囲】
【請求項１】
電源から負荷への給電を制御する給電制御装置であって、
前記負荷が接続される複数の接続ポートと、
一の前記接続ポートに前記負荷が接続された場合、前記負荷の仕様情報を取得する取得部と、
該取得部が取得した仕様情報に基づいて前記負荷に給電を行うか否かを決定する決定部と、
該決定部が前記負荷に給電を行わないと決定した場合、前記負荷に給電を行わないことを示す情報を出力する出力部と
を備える給電制御装置。
【請求項２】
各接続ポートは前記負荷の仕様情報に対応しており、
前記出力部は前記決定部が前記負荷に給電を行うと決定した場合、前記負荷の仕様情報に対応する前記接続ポートを示す情報を出力する請求項１に記載の給電制御装置。
【請求項３】
前記負荷の仕様情報は前記負荷への給電における電流値である請求項１又は請求項２に記載の給電制御装置。
【請求項４】
前記負荷の仕様情報は前記負荷への給電における電流値に基づく電力値である請求項１又は請求項２に記載の給電制御装置。
【請求項５】
前記負荷の前記接続ポートへの接続を、前記負荷側に対する通信に基づいて検知する検知部を備える
請求項１から請求項４までのいずれか一つに記載の給電制御装置。
【請求項６】
前記負荷の前記接続ポートへの接続を検知する検知部と、
一端が接地されている第１抵抗と
を備え、
前記負荷が接続された場合において、前記第１抵抗の他端及び前記電源の間に第２抵抗が接続され、
前記検知部は、前記負荷の接続に伴う前記第１抵抗の他端の電位の変化に基づいて検知する
請求項１から請求項４までのいずれか一つに記載の給電制御装置。
【請求項７】
電源から負荷への給電を制御する複数の給電制御装置を備え、
各給電制御装置は、前記負荷が接続され、前記負荷の仕様情報に対応する複数の接続ポートを有し、
一の前記給電制御装置は、
該一の給電制御装置の前記接続ポートに前記負荷が接続された場合、前記負荷の仕様情報に係る情報を取得する取得部と、
該取得部が取得した情報に基づいて前記負荷に給電を行うか否かを決定する決定部と、
該決定部が前記負荷に給電を行うと決定した場合、前記負荷の仕様情報に対応する前記接続ポート、又は前記給電制御装置を示す情報を出力する出力部と
を有する給電制御システム。
【請求項８】
前記負荷の仕様情報は前記負荷への給電における電流値であり、
各給電制御装置は、各接続ポートに接続される前記負荷の前記電流値の合計値の許容値が設定されており、
前記決定部は、新たに接続される負荷に給電を行うか否かを負荷の仕様情報及び前記許容値に基づいて決定し、
前記出力部は、新たな負荷が接続された場合に前記合計値が前記許容値を超過しない前記接続ポート又は給電制御装置を示す情報を出力する
請求項７に記載の給電制御システム。
【請求項９】
各給電制御装置は、前記負荷の前記接続ポートへの接続を、前記負荷側に対する通信に基づいて検知する検知部を備える請求項７又は請求項８に記載の給電制御システム。
【請求項１０】
各給電制御装置は、
前記負荷の前記接続ポートへの接続を検知する検知部と、
一端が接地されている第１抵抗と
を備え、
前記負荷が接続された場合において、前記第１抵抗の他端及び前記電源の間に第２抵抗が接続され、
前記検知部は、前記負荷の接続に伴う前記第１抵抗の他端の電位の変化に基づいて検知する
請求項７又は請求項８に記載の給電制御システム。
【請求項１１】
電源から負荷への給電を制御する給電制御方法であって、
前記負荷が接続され、前記負荷の仕様情報に対応する複数の接続ポートを有する給電制御装置の前記接続ポートに前記負荷が接続された場合に前記負荷の仕様情報に係る情報を取得し、
取得した情報に基づいて前記負荷に給電を行うか否かを決定し、
前記負荷に給電を行うと決定した場合、前記負荷の仕様情報に対応する前記接続ポート、又は前記給電制御装置を示す情報を出力する給電制御方法。
【発明の詳細な説明】
【技術分野】
【０００１】
本開示は、給電制御装置、給電制御システム及び給電制御方法に関する。
【背景技術】
【０００２】
特許文献１には、車両における電源及び負荷の間に配され、電源から負荷への給電を制御する給電制御装置が開示されている。給電制御装置はＦＥＴ(Field Effect Transistor)等のスイッチング素子を有し、該スイッチング素子のオンオフにより、給電の制御を行う。また、給電制御装置は、負荷が接続されるコネクタを備える。コネクタは、負荷に供給する電流値等に対応する複数の接続ポートを含む場合がある。
【先行技術文献】
【特許文献】
【０００３】
【特許文献１】特開２０１７−７７０８１号公報
【発明の概要】
【発明が解決しようとする課題】
【０００４】
しかしながら、新しい負荷の給電制御装置への接続において、該負荷を対応していない接続ポートに誤って接続することにより、故障の原因となる虞がある。
【０００５】
本開示の目的は、良好に負荷を接続することができる給電制御装置、給電制御システム及び給電制御方法を提供することにある。
【課題を解決するための手段】
【０００６】
本開示の一態様に係る給電制御装置は、電源から負荷への給電を制御する給電制御装置であって、前記負荷が接続される複数の接続ポートと、一の前記接続ポートに前記負荷が接続された場合、前記負荷の仕様情報を取得する取得部と、該取得部が取得した仕様情報に基づいて前記負荷に給電を行うか否かを決定する決定部と、該決定部が前記負荷に給電を行わないと決定した場合、前記負荷に給電を行わないことを示す情報を出力する出力部とを備える。
【０００７】
本開示の一態様に係る給電制御システムは、電源から負荷への給電を制御する複数の給電制御装置を備え、各給電制御装置は、前記負荷が接続され、前記負荷の仕様情報に対応する複数の接続ポートを有し、一の前記給電制御装置は、該一の給電制御装置の前記接続ポートに前記負荷が接続された場合、前記負荷の仕様情報に係る情報を取得する取得部と、該取得部が取得した情報に基づいて前記負荷に給電を行うか否かを決定する決定部と、該決定部が前記負荷に給電を行うと決定した場合、前記負荷の仕様情報に対応する前記接続ポート、又は前記給電制御装置を示す情報を出力する出力部とを有する。
【０００８】
本開示の一態様に係る給電制御方法は、電源から負荷への給電を制御する給電制御方法であって、前記負荷が接続され、前記負荷の仕様情報に対応する複数の接続ポートを有する給電制御装置の前記接続ポートに前記負荷が接続された場合に前記負荷の仕様情報に係る情報を取得し、取得した情報に基づいて前記負荷に給電を行うか否かを決定し、前記負荷に給電を行うと決定した場合、前記負荷の仕様情報に対応する前記接続ポート、又は前記給電制御装置を示す情報を出力する。
【０００９】
なお本願は、このような特徴的な各構成部を備えた各装置を含む給電制御装置として実現することができるだけでなく、かかる特徴的なステップを含む制御プログラムとして実現することができる。また、給電制御装置の構成部の一部又は全部を実現する半導体集積回路として実現したり、給電制御装置を用いた制御システム、及びその他のシステムとして実現したりすることができる。
【発明の効果】
【００１０】
上記によれば、良好に負荷を接続することができる。
【図面の簡単な説明】
【００１１】
【図１】実施の形態１に係る給電制御装置の要部構成を示すブロック図である。
【図２】マイコンの要部構成を示すブロック図である。
【図３】給電制御装置への負荷の接続を説明する説明図である。
【図４】制御部が行う負荷追加処理の手順を示すフローチャートである。
【図５】通知画面の一例を示す説明図である。
【図６】変形例１に係るダイアグツールの制御部が行う負荷追加処理の手順を示すフローチャートである。
【図７】変形例２に係る給電制御装置への負荷の接続を説明する説明図である。
【図８】変形例３に係る給電制御装置への負荷の接続を説明する説明図である。
【図９】変形例３に係る給電制御装置への負荷の接続を説明する説明図である。
【図１０】実施の形態２に係る給電制御システムの要部構成を示すブロック図である。
【図１１】制御部が行う負荷追加処理の手順を示すフローチャートである。
【図１２】通知画面の一例を示す説明図である。
【発明を実施するための形態】
【００１２】
［本開示の実施形態の説明］
最初に本開示の実施態様を列記して説明する。また、以下に記載する実施形態の少なくとも一部を任意に組み合わせても良い。
【００１３】
本開示の一態様に係る給電制御装置は、電源から負荷への給電を制御する給電制御装置であって、前記負荷が接続される複数の接続ポートと、一の前記接続ポートに前記負荷が接続された場合、前記負荷の仕様情報を取得する取得部と、該取得部が取得した仕様情報に基づいて前記負荷に給電を行うか否かを決定する決定部と、該決定部が前記負荷に給電を行わないと決定した場合、前記負荷に給電を行わないことを示す情報を出力する出力部とを備える。
【００１４】
本態様にあっては、一の接続ポートへの新たな負荷の接続において、選択された接続ポートが負荷の仕様情報に対応していない場合に、負荷に給電を行わないことを示す情報を出力することにより、対応していない状態のまま、負荷に給電が行われることを防止することができる。これにより、良好に負荷を接続することができる。
【００１５】
本開示の一態様に係る給電制御装置は、各接続ポートは前記負荷の仕様情報に対応しており、前記出力部は前記決定部が前記負荷に給電を行うと決定した場合、前記負荷の仕様情報に対応する前記接続ポートを示す情報を出力する。
【００１６】
本態様にあっては、一の接続ポートへの新たな負荷の接続において、選択された接続ポートが負荷の仕様情報に対応していない場合に、負荷に対応した他の接続ポートへの接続を促すことができる。
【００１７】
本開示の一態様に係る給電制御装置は、前記負荷の仕様情報は前記負荷への給電における電流値である。
【００１８】
本態様にあっては、負荷への電流値に基づいて、選択された接続ポートに接続される負荷が対応しているか否かを判断することができる。
【００１９】
本開示の一態様に係る給電制御装置は、前記負荷の仕様情報は前記負荷への給電における電流値に基づく電力値である。
【００２０】
本態様にあっては、負荷への電力供給における電力値に基づいて、選択された接続ポートに接続される負荷が対応しているか否かを判断することができる。
【００２１】
本開示の一態様に係る給電制御システムは、電源から負荷への給電を制御する複数の給電制御装置を備え、各給電制御装置は、前記負荷が接続され、前記負荷の仕様情報に対応する複数の接続ポートを有し、一の前記給電制御装置は、該一の給電制御装置の前記接続ポートに前記負荷が接続された場合、前記負荷の仕様情報に係る情報を取得する取得部と、該取得部が取得した情報に基づいて前記負荷に給電を行うか否かを決定する決定部と、該決定部が前記負荷に給電を行うと決定した場合、前記負荷の仕様情報に対応する前記接続ポート、又は前記給電制御装置を示す情報を出力する出力部とを有する。
【００２２】
本開示の一態様に係る給電制御方法は、電源から負荷への給電を制御する給電制御方法であって、前記負荷が接続され、前記負荷の仕様情報に対応する複数の接続ポートを有する給電制御装置の前記接続ポートに前記負荷が接続された場合に前記負荷の仕様情報に係る情報を取得し、取得した情報に基づいて前記負荷に給電を行うか否かを決定し、前記負荷に給電を行うと決定した場合、前記負荷の仕様情報に対応する前記接続ポート、又は前記給電制御装置を示す情報を出力する。
【００２３】
本態様にあっては、一の接続ポートへの新たな負荷の接続において、選択された接続ポートが負荷の仕様情報に対応していない場合に、負荷に対応している他の接続ポート又は給電制御装置への接続を促すことができる。これにより、良好に負荷を接続することができる。
【００２４】
本開示の一態様に係る給電制御装置は、前記負荷の前記接続ポートへの接続を、前記負荷側に対する通信に基づいて検知する検知部を備える。
【００２５】
本開示の一態様に係る給電制御システムは、各給電制御装置は、前記負荷の前記接続ポートへの接続を、前記負荷側に対する通信に基づいて検知する検知部を備える。
【００２６】
本態様にあっては、新たな負荷が接続ポートに接続された場合にその接続を検知できる。
【００２７】
本開示の一態様に係る給電制御装置は、前記負荷の前記接続ポートへの接続を検知する検知部と、該検知部に一端が接続され、他端が接地されている第１抵抗とを備え、前記負荷が接続された場合において、前記第１抵抗の一端及び前記電源の間に第２抵抗が接続され、前記検知部は、前記負荷の接続に伴う前記抵抗器の一端の電位の変化に基づいて検知する。
【００２８】
本開示の一態様に係る給電制御システムは、各給電制御装置は、前記負荷の前記接続ポートへの接続を検知する検知部と、一端が接地されている第１抵抗とを備え、前記負荷が接続された場合において、前記第１抵抗の他端及び前記電源の間に第２抵抗が接続され、前記検知部は、前記負荷の接続に伴う前記第１抵抗の他端の電位の変化に基づいて検知する。
【００２９】
本態様にあっては、新たな負荷が接続ポートに接続された場合にその接続を検知できる。
【００３０】
本開示の一態様に係る給電制御システムは、前記負荷の仕様情報は前記負荷への給電における電流値であり、各給電制御装置は、各接続ポートに接続される前記負荷の前記電流値の合計値の許容値が設定されており、前記決定部は、新たに接続される負荷に給電を行うか否かを負荷の仕様情報及び前記許容値に基づいて決定し、前記出力部は、新たな負荷が接続された場合に前記合計値が前記許容値を超過しない前記接続ポート又は給電制御装置を示す情報を出力する。
【００３１】
本態様にあっては、負荷への電流値に基づいて、選択された接続ポートに接続される負荷が対応しているか否かを判断し、良好に負荷を接続することができる。
【００３２】
［本開示の実施形態の詳細］
以下、本開示をその実施の形態を示す図面に基づいて具体的に説明する。なお、本発明はこれらの例示に限定されるものではなく、特許請求の範囲によって示され、特許請求の範囲と均等の意味及び範囲内でのすべての変更が含まれることが意図される。
【００３３】
（実施の形態１）
図１は、実施の形態１における給電制御装置１の要部構成を示すブロック図である。給電制御装置１は、車両に好適に搭載されている。給電制御装置１は、バッテリ２及び負荷３間に接続されている。給電制御装置１は、例えばバッテリ２の電源線と、負荷３の一端とに各別に接続されており、バッテリ２のＧＮＤ線と、負荷３の他端とは接地される。給電制御装置１は、バッテリ２から負荷３への給電と、遮断とを行う。
【００３４】
給電制御装置１は、ＦＥＴ(Field Effect Transistor)１０、５Ｖ電源回路１１、入力回路１２、マイクロコンピュータ（以下、マイコンという）１３及びコネクタ１４を有する。コネクタ１４には複数の接続ポート１５が設けられている。各接続ポート１５は、負荷に流れる電流値（例えば、１２Ａ、２０Ａ、２４Ａ等）に対応させて設けられている。
【００３５】
５Ｖ電源回路１１及び入力回路１２は、マイコン１３に接続されている。また、マイコン１３は、各ＦＥＴ１０に接続されている。また、ＦＥＴ１０はコネクタ１４に接続されており、各接続ポート１５に負荷３が接続される。更に、給電制御装置１は第１通信部１６を有し、マイコン１３は、第１通信部１６を介して、コネクタ１４に接続された負荷３の仕様情報を取得可能である。また、マイコン１３は、外部から接続されるダイアグツール６と相互通信可能である。
【００３６】
ＦＥＴ１０は、例えばＮチャネル型のＦＥＴであり、ＦＥＴ１０のゲート端子がマイコン１３に接続され、ＦＥＴ１０のソース端子がコネクタ１４に接続される。ＦＥＴ１０ドレイン端子は、バッテリ２の電源線に接続される。なお、ＦＥＴの各端子の図示は省略している。
【００３７】
ＦＥＴ１０において、ソースの電位を基準としたゲートの電圧値が一定電圧値以上である場合、ドレイン及びソースを介して電流が流れることが可能である。このとき、ＦＥＴ１０はオンである。
また、ＦＥＴ１０において、ソースの電位を基準としたゲートの電圧値が一定電圧値未満である場合、電流がドレイン及びソースを介して流れることない。このとき、ＦＥＴ１０はオフである。
【００３８】
５Ｖ電源回路１１は、バッテリ２の電圧をマイコン１３の駆動電圧に変換してマイコン１３に供給する。入力回路１２には、複数のスイッチ４の一端が接続されており、複数のスイッチ４の他端は接地されている。各スイッチ４は、車両に搭載されるエアコン、ドアロック等の各負荷３のスイッチに対応している。給電制御装置１には、各スイッチ４のオンオフにより入力回路１２を介して、負荷３の作動を指示する作動信号と、負荷３の動作の停止を指示する停止信号とが入力される。
【００３９】
入力回路１２は、スイッチ４をオフした場合、負荷３の動作の停止を指示する停止信号をマイコン１３に出力する。入力回路１２は、スイッチ４をオンして接地した場合、負荷３の作動を指示する作動信号をマイコン１３に出力する。
【００４０】
マイコン１３は、作動信号が入力された場合、負荷３への給電と、遮断とを交互に繰り返す。これにより、負荷３に給電され、負荷３は作動する。給電制御装置１は、停止信号が入力された場合、負荷３を遮断する。これにより、負荷３への給電が停止し、負荷３は動作を停止する。
【００４１】
ＦＥＴ１０がオンに切替わった場合、電流がバッテリ２の正極からＦＥＴ１０を介して電流が流れ、バッテリ２から負荷３へ給電される。ＦＥＴ１０がオフに切替わった場合、電流が負荷３に流れず、負荷３への給電が停止する。
【００４２】
スイッチ４、ＦＥＴ１０、接続ポート１５は、同数個（図１では３つ）設けられている。なお、スイッチ４、ＦＥＴ１０、接続ポート１５は図１においては３個ずつ示されているが、２個以上であれば３個に限られない。
【００４３】
図２はマイコン１３の要部構成を示すブロック図である。マイコン１３は、制御部７０、記憶部７１、第１入力部７２、第２入力部７３、出力部７４、第２通信部７５を有する。
【００４４】
制御部７０、記憶部７１、第１入力部７２、第２入力部７３、出力部７４、第２通信部７５は、バス７６に各別に接続されている。制御部７０は、ＣＰＵ（Central Processing Unit）、ＭＰＵ（Micro Processing Unit）等により構成され、給電制御装置１全体の動作を制御する。
【００４５】
記憶部７１は、ＲＯＭ（Read Only Memory）、ＲＡＭ（Random access memory）等を含んで構成され、制御部７０が実行する処理プログラム７１ａと、電流値又は該電流値に基づく電力値の許容値等を記憶している。
【００４６】
第１入力部７２には、ＦＥＴ１０の作動信号及び停止信号が入力される。また、第２入力部７３には、コネクタ１４の接続ポート１５に接続された負荷３の仕様情報が入力される。負荷３の仕様情報は、負荷３の突入電流値、駆動時の定常電流値及び電力値等である。電力値は、ＦＥＴ１０のオン抵抗の和×（定常電流値の２乗）で算出される値である。
【００４７】
出力部７４は、ＦＥＴ１０のゲート端子に接続され、出力部７４からＦＥＴ１０の駆動信号が出力される。第２通信部７５は、ダイアグツール６と相互通信を行う。
【００４８】
ダイアグツール６は、ＣＰＵ又はＭＰＵ、及びＲＯＭ、ＲＡＭ等を含み、ダイアグツール６の動作を制御する制御部６０と、画像を表示する液晶ディスプレイを含む表示部６１と、マイコン１３の第２通信部７５と相互に通信する通信部６２を有する。ダイアグツール６においては、通信部６２によりマイコン１３から受信した情報に基づいて、制御部６０が表示部６１に対応する画像を表示させる。
【００４９】
マイコン１３の制御部７０は、負荷３の接続ポート１５への接続を、負荷３側の通信部に対する通信に基づいて検出する。マイコン１３の制御部７０は、コネクタ１４の接続ポート１５に新たに負荷３が接続されたか否かを、通信部を介した、例えばＣＡＮ（Controller Area Network）等を用いた差動通信に基づいて検知する。図３は、給電制御装置への負荷の接続を説明する説明図である。給電制御装置１において、マイコン１３は送信線１７及び受信線１８を介して第１通信部１６に接続されている。
【００５０】
ここで、負荷３は、例えば、負荷側マイコン３０と、該負荷側マイコン３０に送信線３２及び受信線３３を介して接続されている負荷側通信部３１とを備える。負荷側マイコン３０は、ＣＰＵ又はＭＰＵ、及びＲＯＭ、ＲＡＭ等を含んで構成され、負荷３の動作を制御する。
【００５１】
第１通信部１６及び負荷側通信部３１はＣＡＮトランシーバであり、２本の通信線８０，８１により接続されている。マイコン１３の制御部７０は定期的に例えば１ｍｓｅｃごとに信号を送信する。マイコン１３が送信した信号を、負荷側通信部３１を介して負荷側マイコン３０が受信した場合、負荷側マイコン３０は受信した旨の信号をマイコン１３側に送信する。制御部７０は、負荷側マイコン３０が送信した信号を受信した場合、接続ポート１５に新たに負荷３が接続されたことを検知する。これにより、給電制御装置１において、新たな負荷３が接続ポート１５に接続された場合に、その接続を検知できる。
【００５２】
制御部７０は、コネクタ１４の接続ポート１５への新たな負荷３の接続を検知した場合、以下の負荷追加処理を行う。図４は、制御部７０が行う負荷追加処理の手順を示すフローチャートである。
【００５３】
制御部７０は、負荷３の仕様情報を取得する（Ｓ１）。制御部７０は、負荷３の仕様情報に基づいて、該負荷３が追加可能であるか否かを判定する（Ｓ２）。これにより、負荷３が追加可能である場合は、給電を行うことが決定され、負荷が追加できない場合は、給電を行わないことが決定される。
【００５４】
具体的には、次のように負荷３が追加可能であるか否かを決定する。記憶部７１は、給電制御装置１により給電を行う全ての負荷に流れる電流の合計値の許容値と、該電流値に基づく電力値の許容値を記憶している。制御部７０は、新たな負荷３が接続された場合の電流値の合計又は電力値の合計が前記許容値以下である場合に負荷３が追加可能であると決定する。制御部７０は、新たな負荷３が接続された場合の電流値の合計又は電力値の合計が前記許容値を超過する場合に負荷３は追加不可であると決定する。
【００５５】
制御部７０は、負荷３が追加可能であると判定した場合（Ｓ２：ＹＥＳ）、接続された負荷３に適する接続ポート１５を決定し（Ｓ３）、追加可能情報を出力して（Ｓ４）、処理を終了する。追加可能情報には、接続された負荷３に適する接続ポート１５を識別する情報が含まれている。
【００５６】
制御部７０は、負荷の仕様情報における電流値に対応する接続ポート１５を負荷３に適する接続ポート１５として決定する。
【００５７】
出力された追加可能情報は、第２通信部７５から送信され、ダイアグツール６が通信部６２にて受信し、制御部６０が表示部６１に接続に適した接続ポート１５を画像で表示させることにより、ディーラー等負荷を接続する者に通知される。
【００５８】
図５は、通知画面のイメージを示す説明図である。表示部６１には、例えば、図５に示すような画面が表示される。画像６００は、負荷３が搭載される車両を指し、画像６００の中に、給電制御装置１及び接続ポート１５の画像６０１，６１５が示されている。このとき、接続された負荷３に適する接続ポート１５の画像６１５がハッチングで示されている。なお、該接続ポート１５に対応する箇所が点滅する態様又はその他の態様で表示してもよい。
【００５９】
制御部７０は、負荷３が追加可能でないと判定した場合（Ｓ２：ＮＯ）、追加不可情報を出力して（Ｓ５）処理を終了する。出力された追加不可情報は、第２通信部７５から送信され、ダイアグツール６が受信し、表示部６１に表示されることにより、ディーラー等負荷を接続する者にその旨が通知される。
【００６０】
一の接続ポート１５への新たな負荷３の接続において、負荷３の電流値及び電力値を含む仕様情報に対して、ディーラー等の作業者に選択された接続ポート１５が対応していない場合に、負荷３に給電を行わないことを示す情報を出力することにより、対応していない状態のまま、負荷３に給電が行われることを防止することができる。これにより、給電制御装置１の故障を防止し、良好に負荷３を接続することができる。また、一の接続ポート１５への新たな負荷３の接続において、負荷３の仕様情報に対応していない場合に、新たに接続される負荷３に対応した他の接続ポート１５への接続を促すことができる。更に、上記の構成においては、負荷への電流値、負荷への電力供給における電力値に基づいて、選択された接続ポートに、接続される負荷が対応しているか否かを判断することができる。
【００６１】
なお、給電制御装置１は接続する負荷３の仕様情報における電流値に適する接続ポート１５であって、負荷が未接続の接続ポート１５がない場合、追加不可である旨の情報を出力してもよい。
【００６２】
（変形例１）
また実施の形態１に係る給電制御装置１においては、負荷３の追加可能の決定を給電制御装置１が行う構成としたが、他の装置が行ってもよく、変形例１においてはダイアグツール６が負荷３の追加可能の決定を行う。
【００６３】
図６は、変形例１に係るダイアグツール６の制御部６０が行う負荷追加処理の手順を示すフローチャートである。ダイアグツール６の制御部６０は、給電制御装置１から、電流の許容値及び電力値の許容値と、負荷３の仕様情報とを含む情報を取得する（Ｓ２１）。制御部６０は、取得した情報に基づいて、負荷３を追加可能であるか否かを実施の形態１と同様に判定する（Ｓ２２）。
【００６４】
制御部６０は追加可能であると判定した場合（Ｓ２２：ＹＥＳ）、負荷３に適した接続ポート１５を実施の形態１と同様に決定し（Ｓ２３）、接続ポート１５の位置を示し、負荷３を追加可能である旨を表示部６１に表示させて通知し（Ｓ２４）、処理を終了する。制御部６０は追加可能でないと判定した場合（Ｓ２２：ＮＯ）、追加不可である旨を表示部６１に表示させて通知し（Ｓ２５）、処理を終了する。
【００６５】
本変形例１においても、給電制御装置１の故障を防止し、良好に負荷３を接続することができる。また、一の接続ポート１５への新たな負荷３の接続において、負荷３の仕様情報に対して、選択された接続ポート１５が対応していない場合に、接続される負荷３に対応する他の接続ポートへの接続を促すことができる。
【００６６】
（変形例２）
また実施の形態１に係る給電制御装置１においては、差動通信に基づいて負荷３の接続を検知する態様としたが、変形例２においてはいわゆる単線通信に基づいて検知する。図７は、変形例２に係る給電制御装置１への負荷３の接続を説明する説明図である。第１通信部１６及び負荷側通信部３１は通信プロトコルをＬＩＮ（Local Interconnect Network）として、通信が単線通信により行われる。第１通信部１６及び負荷側通信部３１はＬＩＮトランシーバであり、図７に示すように単一の通信線８２により接続されている。給電制御装置１及び負荷３は、通信線８１を介して信号の送受信を行い、実施の形態１と同様に、接続ポート１５への負荷３の接続を検知する。なお、通信プロトコルをＣＸＰＩ（Clock Extension Peripheral Interface）としてもよい。以上の構成によっても、新たな負荷３が接続ポート１５に接続された場合に、給電制御装置１が接続の検知を行うことができる。
【００６７】
（変形例３）
また本実施の形態に係る給電制御装置１においては、差動通信に基づいて負荷３の接続を検知する態様としたが、変形例３においては、例えばマイコン１３が検出する電位の変化に基づいて検知する。
【００６８】
図８及び図９は、変形例３に係る給電制御装置１への負荷３の接続を説明する説明図である。図８は負荷３が給電制御装置１に接続された状態を示し、図９は負荷３が接続されていない状態を示す。図８及び図９に示すように、マイコン１３は検出部７７を備える。また、給電制御装置１は第１抵抗Ｒ１を有し、第１抵抗Ｒ１の一端は接地されている。検出部７７は、第１抵抗Ｒ１の他端に接続されている。
【００６９】
検出部７７は、例えばＡＤＣ（Analog to Digital Converter ）回路であり、第１抵抗Ｒ１の他端の電位を定期的に（例えば１ｍｓｅｃごとに）検出し、検出した値を制御部７０に入力する。なお、図８及び図９においては、マイコン１３の制御部７０及び検出部７７以外の構成部の図示は省略しており、また、コネクタ１４等の図示は省略している。
【００７０】
ここで、負荷３が給電制御装置１に接続された場合、図８に示すように、第１抵抗Ｒ１の他端及びバッテリ２の間に抵抗Ｒ２が接続される。抵抗Ｒ２は例えば、給電制御装置１に設けられていてもよく、また、負荷３に設けられていてもよい。図８に示す回路においては、第１抵抗Ｒ１の他端の電位Ｖ１は、バッテリ２から供給される電圧を第１抵抗Ｒ１及び第２抵抗Ｒ２の抵抗値の大きさの比により分圧した分圧値となる。負荷３が接続されていない場合、第１抵抗Ｒ１の他端はバッテリ２に接続されておらず、電位Ｖ１はゼロボルトとなる。
【００７１】
したがって、負荷３が接続された場合と接続されていない場合とにおいて電位Ｖ１が変化し、検出部７７が検出する値が変化する。負荷が接続されていない場合制御部７０は、検出部７７が検出する値と、例えば記憶部７１に記憶されている閾値とを比較することにより、負荷３の接続を検知する。ここで、閾値はゼロボルトよりも大きく、前記分圧値よりも小さい値に設定される。なお、閾値は誤差を含めて設定することとしてもよい。
以上より、例えば、制御部７０は、検出部７７が検出した電位がゼロボルトであれば、閾値未満であると判定して負荷３が接続されていないことを検知し、第１抵抗Ｒ１の他端に第２抵抗Ｒ２を介してバッテリ２が接続されて前記分圧値を検出した場合、閾値以上であると判定して負荷３が接続されたこと検知する。
【００７２】
以上のように、新たな負荷３が接続ポート１５に接続された場合、給電制御装置１のマイコン１３は、電位Ｖ１の変化を検出することにより、その接続の検知を行うことができる。
【００７３】
（実施の形態２）
実施の形態２における給電制御システムは、車両に搭載される複数の給電制御装置１を用いて構成されている。実施形態２における給電制御システムの構成について実施の形態１と同様の構成については同一の符号を付して詳細な説明を省略する。
【００７４】
図１０は、実施の形態２に係る給電制御システム１００を示す要部構成を示すブロック図である。図１０に示すように、給電制御システム１００は車両１０１に搭載されており、４つの給電制御装置１を備える。各給電制御装置１は、実施の形態１と同様の構成をなし、第１通信部１６又は第２通信部７５を介して相互に通信可能である。
【００７５】
いずれかの給電制御装置１の接続ポート１５への負荷３の接続が検知された場合に、該接続ポート１５を有する給電制御装置１において、マイコン１３の制御部７０は下記の負荷追加処理を行う。なお、負荷３の接続ポート１５への接続は、上述の差動通信、単線通信又は電位変化の検出に基づいて行われる。図１１は、制御部７０が行う負荷追加処理の手順を示すフローチャートである。
【００７６】
制御部７０は、負荷３の仕様情報を取得する（Ｓ３１）。制御部７０は、負荷３の仕様情報に基づいて、該負荷３が追加可能であるか否かを判定する（Ｓ３２）。
【００７７】
具体的には、次のように負荷３が追加可能であるか否かを決定する。記憶部７１は、各給電制御装置１が接続された全ての負荷に流れる電流の合計値の許容値と、該電流値に基づく電力値の許容値を記憶している。制御部７０は、新たな負荷３が接続された場合の電流値の合計又は電力値の合計が、いずれかの給電制御装置１の許容値以下である場合に負荷３が追加可能であると決定する。制御部７０は、新たな負荷３が接続された場合の電流値の合計又は電力値の合計が全ての各給電制御装置１の許容値を超過する場合に負荷３は追加不可であると決定する。
【００７８】
制御部７０は、負荷３を追加可能である給電制御装置１の内、負荷の仕様情報における電流値に一致し、且つ負荷３が接続されていない接続ポート１５を負荷３に適する接続ポート１５として決定する。負荷３が接続されているか否かの情報は、制御部７０が第１通信部１６又は第２通信部７５を介して他の給電制御装置１から取得する。なお、給電制御装置１は接続する負荷３の仕様情報における電流値に適する接続ポート１５であって、負荷が未接続の接続ポート１５がない場合、追加不可である旨の情報を出力してもよい。
【００７９】
制御部７０は、負荷３が追加可能であると判定した場合（Ｓ３２：ＹＥＳ）、接続された負荷３に対応する接続ポート１５を有する給電制御装置を、給電制御装置１の内から決定し（Ｓ３３）、追加可能情報を出力して（Ｓ３４）、処理を終了する。制御部７０は、負荷３が追加可能でないと判定した場合（Ｓ３２：ＮＯ）、追加不可情報を出力して（Ｓ３５）処理を終了する。追加可能情報には、決定した給電制御装置１と、接続された負荷３に適する接続ポート１５とを示す情報が含まれている。なお、給電制御装置１又は接続ポート１５のいずれかのみを通知する態様であってもよい。
【００８０】
出力された追加可能情報は、第２通信部７５から送信され、ダイアグツール６が通信部６２にて受信し、制御部６０が表示部６１に対応する接続ポート１５を画像で表示させることにより、ディーラー等の負荷を接続する者に通知される。図１２は、通知画面のイメージを示す説明図である。表示部６１には、例えば、図１２に示すような画面が表示される。
【００８１】
図１２において、画像６００は、負荷３が搭載される車両を指し、画像６００の中に、給電制御装置１及び接続ポート１５の画像６０１，６１５が示されている。このとき、接続された負荷３に適する接続ポート１５の画像６１５及び給電制御装置１の画像がハッチングで示されている。なお、給電制御装置１及び接続ポート１５に対応する箇所が点滅する態様又はその他の態様で表示してもよい。なお、本画像のメッセージ部分の「ボックス」は給電制御装置を指す。
【００８２】
一の接続ポート１５への新たな負荷３の接続において、負荷３の仕様情報に基づいて、負荷３に選択された接続ポートが対応していない場合に、負荷３に対応している他の接続ポート１５又は給電制御装置１への接続を促すことができる。これにより、給電制御装置１の故障を防止し、良好に負荷を接続することができる。また、負荷への電流値又は電力値に基づいて、選択された接続ポートに接続される負荷が対応しているか否かを判断し、良好に負荷を接続することができる。
【００８３】
今回開示された実施形態はすべての点で例示であって、制限的なものではないと考えられるべきである。本発明の範囲は、上記した意味では無く、特許請求の範囲によって示され、特許請求の範囲と均等の意味及び範囲内でのすべての変更が含まれることが意図される。
【符号の説明】
【００８４】
１  給電制御装置
１１  ５Ｖ電源回路
１２  入力回路
１４  コネクタ
１５  接続ポート
１６  第１通信部
１７  送信線
１８  受信線
２  バッテリ（電源）
３  負荷
３０  負荷側マイコン
３１  負荷側通信部
３２  送信線
３３  受信線
４  スイッチ
６  ダイアグツール
６０  制御部
６１  表示部
６２  通信部
１３  マイコン
７０  制御部（取得部、決定部、検知部）
７１  記憶部
７１ａ  処理プログラム
７２  第１入力部
７３  第２入力部
７４  出力部
７５  第２通信部
７６  バス
７７  検出部
８０，８１  通信線
８２  通信線
１００  給電制御システム
１０１  車両
６００，６０１，６１５  画像
Ｒ１  第１抵抗
Ｒ２  第２抵抗
【図１】
2020150634.tif 000003
【図２】
2020150634.tif 000004
【図３】
2020150634.tif 000005
【図４】
2020150634.tif 000006
【図５】
2020150634.tif 000007
【図６】
2020150634.tif 000008
【図７】
2020150634.tif 000009
【図８】
2020150634.tif 000010
【図９】
2020150634.tif 000011
【図１０】
2020150634.tif 000012
【図１１】
2020150634.tif 000013
【図１２】
2020150634.tif 000014